(57)【要約】【課題】投影された投写画像に台形歪みが生じた場合であっても、この台形歪みを自動的に補正することのできるスクリーンを提供すること。【解決手段】プロジェクタ等の光学機器から射出された光束を投影して投写画像を形成する投写面を有するスクリーンは、投写面上に設けられ、光学機器からの射出光束の光量を検出する光量検出手段４Ｕ、４Ｄ、４Ｌ、４Ｒと、この光量検出手段４Ｕ、４Ｄ、４Ｌ、４Ｒにより検出された光量に基づいて、投写面の姿勢を制御する姿勢制御手段７０とを備えている。光量検出手段４Ｕ、４Ｄ、４Ｌ、４Ｒおよび姿勢制御手段７０を備えていることにより、光学機器からの投写画像の光量を検出して投写面の姿勢を制御できるため、スクリーンの投写面を光学機器に正対させることができ、投写画像の台形歪み等を自動的に補正することができる。【選択図】　図４
2004078167.tif 000002
【特許請求の範囲】
【請求項１】
プロジェクタ等の光学機器から射出された光束を投影して投写画像を形成する投写面を有するスクリーンであって、
前記投写面上に設けられ、前記光学機器からの射出光束の光量を検出する光量検出手段と、
この光量検出手段により検出された光量に基づいて、前記投写面の姿勢を制御する姿勢制御手段とを備えていることを特徴とするスクリーン。
【請求項２】
請求項１に記載のスクリーンにおいて、
前記投写面を水平方向に沿って延びる軸を中心として回動させる水平軸回り駆動機構と、前記投写面を垂直方向に沿って延びる軸を中心として回動させる垂直軸回り駆動機構とを備え、
前記姿勢制御手段は、これら水平軸回り駆動機構および垂直軸回り駆動機構を制御することを特徴とするスクリーン。
【請求項３】
請求項２に記載のスクリーンにおいて、
前記光量検出手段は４つの光電変換素子を含んで構成され、
４つの光電変換素子のうち、一対の光電変換素子は、前記投写面の垂直方向に沿って配置され、他の一対の光電変換素子は、前記投写面の水平方向に沿って配置されていることを特徴とするスクリーン。
【請求項４】
請求項３に記載のスクリーンにおいて、
前記光電変換素子は、フォトダイオードであることを特徴とするスクリーン。
【請求項５】
請求項３または請求項４に記載のスクリーンにおいて、
前記光量検出手段は、前記４つの光電変換素子を抵抗素子と見立てたブリッジ回路を備えていることを特徴とするスクリーン。
【発明の詳細な説明】
【０００１】
【発明の属する技術分野】
本発明は、プロジェクタ等の光学機器から射出された光束を投影して投写画像を形成する投写面を有するスクリーンに関する。
【０００２】
【背景技術】
従来より、プレゼンテーション等においては、光源から射出した光束を画像情報に応じて変調する光変調装置を備え、この光変調装置で変調された光束を拡大投写するプロジェクタ等の光学機器が広く利用されている。
これらの光学機器から射出された光束は、スクリーンの投写面上に投影されて投写画像が形成され、このように投写面上に拡大投写することにより、大人数でのプレゼンテーションを効率的に行うことができる。
【０００３】
このような光学機器から射出された光束をスクリーンの投写面上に投影した状態において、光学機器とスクリーンとが正対していないと、投写面上に形成される投写画像に台形状の歪みが生じることがある。例えば、投写面がプロジェクタ等の光学機器に対して上下方向に傾斜配置されていると、本来長方形状の投写画像であるのが、上辺または底辺のどちらかが長くなった台形歪みが生じる。また、投写面が光学機器に対して左右方向に傾斜配置されていると、左辺または右辺のどちらかが長くなった台形歪みを生じる。
【０００４】
このような場合、スクリーンを位置調整すればよいのだが、大画面表示可能なスクリーンは大きく、人力で位置調整するのは困難であり、また、人力で行う場合、投写面の姿勢調整を微妙に行うのが困難である。
このため、近年、このような台形歪みが生じた場合、プロジェクタの制御部に光変調装置に入力される画像信号を変換し、台形歪みを補正するソフトウエアがインストールされたものが知られている。
このようなプロジェクタであれば、投写面上に台形歪みが生じた場合であっても、プロジェクタの台形補正ソフトウエアを利用して、プロジェクタから射出される光束の輪郭を微妙に変形させ、投写面上では適正な長方形の投写画像を形成することができる。
【０００５】
【発明が解決しようとする課題】
しかしながら、このようなプロジェクタ側での補正は、光変調装置の矩形状の画像形成領域の一部を使用せずに台形状の画像を形成し、これを投写面上に投影することで長方形の投写画像を形成しているため、画像形成領域の全体を効率よく利用しているとは言い難い。
また、プロジェクタ等の光学機器にこのようなソフトウエアをインストールする必要があるため、プロジェクタの価格が高騰し易いという問題がある。
【０００６】
本発明の目的は、投影された投写画像に台形歪みが生じた場合であっても、この台形歪みを自動的に補正することのできるスクリーンを提供することにある。
【０００７】
【課題を解決するための手段】
前記目的を達成するために、本発明のスクリーンは、プロジェクタ等の光学機器から射出された光束を投影して投写画像を形成する投写面を有するスクリーンであって、前記投写面上に設けられ、前記光学機器からの射出光束の光量を検出する光量検出手段と、この光量検出手段により検出された光量に基づいて、前記投写面の姿勢を制御する姿勢制御手段とを備えていることを特徴とする。
【０００８】
このような本発明によれば、光量検出手段および姿勢制御手段を備えていることにより、光学機器からの投写画像の光量を検出して投写面の姿勢を制御できるため、スクリーンの投写面を光学機器に正対させることができ、投写画像の台形歪み等を自動的に補正することができる。従って、プロジェクタ等の光学機器に台形歪みを補正するソフトウエア等をインストールする必要がなく、光学機器の価格が高騰することもない。
【０００９】
以上において、前述したスクリーンが投写面を水平方向に沿って延びる軸を中心として回動させる水平軸回り駆動機構と、前記投写面を垂直方向に沿って延びる軸を中心として回動させる垂直軸回り駆動機構とを備えている場合、姿勢制御手段は、これら水平軸回り駆動機構および垂直軸回り駆動機構を制御するのが好ましい。
ここで、駆動機構は、それぞれステッピングモータを駆動源とするのが好ましい。
このような本発明によれば、簡単な２つの駆動機構のみであらゆる方向に投写面の姿勢を制御することができるので、スクリーンの構造を簡素化することができる。
【００１０】
また、前述した光量検出手段は、４つの光電変換素子を含んで構成され、４つの光電変換素子のうち、一対の光電変換素子は、投写面の垂直方向に沿って配置され、他の一対の光電変換素子は、投写面の水平方向に沿って配置されるのが好ましい。
ここで、光電変換素子としては、種々のものを採用することができ、フォトダイオードやフォトトランジスタの他、ＣＣＤ撮像素子を採用することができる。このような本発明によれば、垂直方向に沿って配置された一対の光電変換素子は、投写面を水平軸を中心に回動させた際の光量検出に利用することができ、水平方向に沿って配置された他の一対の光電変換素子は、投写面を垂直軸を中心に回動させた際の光量検出に利用することができ、姿勢調整の簡単化を図ることができる。
【００１１】
さらに、前述した光電変換素子は、フォトダイオードであるのが好ましい。
すなわち、フォトダイオードは、光電変換素子として安価であり広く利用されているため、本発明に係るスクリーンの価格が高騰することもない。
【００１２】
そして、前述した光量検出手段は、４つの光電変換素子を抵抗素子と見立てたブリッジ回路を備えているのが好ましい。
このようにブリッジ回路を備えていることにより、ブリッジ回路からの出力が０となれば、４つの光電変換素子で検出された光量が同一であると判定できるため、極めて簡素な構造で光量検出手段を構成することができる。
【００１３】
【発明の実施の形態】
以下、本発明の実施の一形態を図面に基づいて説明する。
〔第１実施形態〕
図１には、本発明の実施形態に係るスクリーン１が示されている。
このスクリーン１は、スクリーン本体２、および支柱３を備えて構成される。投写面としてのスクリーン本体２は、白色矩形状の画像形成面２１と、この画像形成面２１の上端および下端に沿って設けられる枠部材２２とを備えている。画像形成面２１は、白色の塗料表面に複数の微細なガラスビーズが埋め込まれたものであり、枠部材２２は、プロジェクタ等の光学機器からの光学像の投影中に画像形成面２１がたわむことを防止するために設けられている。
【００１４】
このようなスクリーン本体２の画像形成面２１の外周近傍には、光量検出手段としての４つの光量センサ４Ｕ、４Ｄ、４Ｌ、４Ｒが設けられている。
これら４つの光量センサ４Ｕ、４Ｄ、４Ｌ、４Ｒのうち、光量センサ４Ｕ、４Ｄは、画像形成面２１の垂直方向に沿って配置され、光量センサ４Ｌ、４Ｒは、画像形成面２１の水平方向に沿って配置される。また、各光量センサ４Ｕ、４Ｄ、４Ｌ、４Ｒは、画像形成面２１の矩形辺の中央に配置され、かつプロジェクタ等の光学機器から投影された画像Ｇの内側となるような位置に配置される。
【００１５】
支柱３は、スクリーン本体２を自立させるための部材であり、スクリーン本体２の略中央でスクリーン本体２と接続され、図示を略したが、その下部には、脚部が設けられている。
この支柱３は、支柱本体３１、回動部３２、３３、および腕部３４を備えて構成される。支柱本体３１は、金属製の円筒管状部材から構成され、図示を略したが、その中間部分表面には、回動部３２を取り付けるためにアンダーカットが形成されている。
【００１６】
回動部３２は、支柱本体３１の中間部分に形成されたアンダーカットと係合するリング状部材から構成され、支柱本体３１に対して、該支柱本体３１の円筒中心を中心として、回動自在に取り付けられている。また、この回動部３２は留め具３２Ａを介してスクリーン本体２の枠部材２２と連結され、留め具３２Ａは、回動部３２に対して上下方向に回動自在に取り付けられている。
【００１７】
回動部３３は、支柱本体３１の上端部分で係合する円筒状部材から構成され、回動部３２と同様に、支柱本体３１に対して回動自在に取り付けられている。また、図１では図示を略したが、回動部３３の円筒内周面には、後述する垂直軸回り駆動機構５０と噛合する内歯車が設けられている。
腕部３４は、この回動部３３の外周面に摺動自在に取り付けられる棒状部材として構成され、図１では図示を略したが、その下面には、後述する水平軸回り駆動機構５０と噛合するラックが設けられている。
この腕部３４の摺動方向先端部分には、留め具３４Ａが腕部３４に対して上下方向に回動自在に設けられていて、この留め具３４Ａには、スクリーン本体２の上側枠部材２２の中央部分が係合する。
【００１８】
このような支柱３の円筒管内部には、図２および図３に示すように、垂直軸回り駆動機構５０、および水平軸回り駆動機構６０が設けられている。
垂直軸回り駆動機構５０は、図２に示すように、ステッピングモータ５１、第１歯車５２、および第２歯車５３を備えて構成される。
ステッピングモータ５１は、支柱本体３１の内部に固定され、入力される電気パルス信号により駆動するモータであり、電気パルス信号の極性によって右回り、または左回りに回転する。
【００１９】
第１歯車５２は、このステッピングモータ５１の回転軸に取り付けられ、回転軸の駆動とともに回転する。
第２歯車５３は、一部でこの第１歯車５２と噛合するとともに、他の一部で回動部３３の内側に設けられる内歯車３３１と噛合し、第１歯車５２の回転を回動部３３に伝導する。
このような垂直軸回り駆動機構５０は、所定のステップ数の電気パルス信号がステッピングモータ５１に入力されると、ステップ数分だけステッピングモータ５１の回転軸が駆動し、第１歯車５２および第２歯車５３を介して回動部３３を回動させる。
そして、この回動部３３が回動すると、図１に示されるスクリーン本体２は、垂直軸回りに回動して、プロジェクタ等の光学機器に対する垂直軸回りの姿勢が調整される。
【００２０】
水平軸回り駆動機構６０は、図３に示すように、回動部３３内部に設けられるステッピングモータ６１と、このステッピングモータ６１の回転軸先端に設けられる歯車６２とを備え、歯車６２は、回動部３３の外側に配置され、腕部３４の下面に設けられたラック３４１と噛合している。
ステッピングモータ６１が回転すると、歯車６２が回動し、これと噛合するラック３４１により、腕部３４は、図３の紙面直交方向に摺動する。
腕部３４が摺動すると、図１に示されるスクリーン本体２は、その上端縁がスクリーン面の法線方向に進退し、スクリーン本体２の下端縁、つまり下側枠部材２２を水平軸として回転駆動して、プロジェクタ等の光学機器に対する水平軸回りの姿勢が調整される。
【００２１】
このような駆動機構５０、６０は、図４に示されるように、支柱本体３１内部に設けられる制御部７０によって駆動制御される。
姿勢制御手段としての制御部７０は、ＡＳＩＣ（Ａｐｐｌｉｃａｔｉｏｎ　Ｓｐｅｃｉｆｉｃ　Ｉｎｔｅｇｒａｔｅｄ　Ｃｉｒｃｕｉｔ）として構成され、電流検出部７１、演算処理部７２、メモリ７３、垂直軸回り駆動制御部７４、および水平軸回り駆動制御部７５を備えて構成される。
【００２２】
電流検出部７１は、前述した光量センサ４Ｕ、４Ｄ、４Ｌ、４Ｒからの電気信号を検出する部分である。
この光量センサ４Ｕ、４Ｄ、４Ｌ、４Ｒは、より詳しく説明すれば、光電変換素子としてのフォトダイオード４１および電源４２を含む閉回路として構成されている。
電源４２は、フォトダイオード４１に対して逆方向にバイアス電圧を印加する部分であり、このようなバイアス電圧が印加された状態では、フォトダイオード４１のＰＮ接合部分が障壁となって閉回路内に電流は流れない。
【００２３】
しかし、フォトダイオード４１に光が照射されると、フォトダイオード４１のＰＮ接合面で正孔、電子が分離し、それぞれが−側、＋側に移動して、電流が流れるようになる。
そして、前述した電流検出部７１は、この光量センサ４Ｕ、４Ｄ、４Ｌ、４Ｒの閉回路内を流れる電流を検出し、その電流値をデジタル信号に変換して演算処理部７２に出力する。尚、電流検出部７１に対して、それぞれの光量センサ４Ｕ、４Ｄ、４Ｌ、４Ｒは並列に接続され、電流検出部７１は、各光量センサ４Ｕ、４Ｄ、４Ｌ、４Ｒの電流値を演算処理部７２に出力する。
【００２４】
演算処理部７２は、検出された電流値に基づいて、スクリーン本体２の光学機器に対する姿勢を判定する部分であり、４つの光量センサ４Ｕ、４Ｄ、４Ｌ、４Ｒの電流値を対比することにより、スクリーン本体２の姿勢を判定する。
また、この演算処理部７２は、光学機器の画像特性に応じて補正演算を行う機能をも具備している。
【００２５】
例えば、あおり投写型のプロジェクタでスクリーン本体２上に光学像を形成した場合、投写画像内の最も明るい領域は、画像形成面の下端縁中央部分となり、他の部分はそれよりも暗くなるので、演算処理部７２は、光量センサ４Ｕ、４Ｄ、４Ｌ、４Ｒの電流値を補正した上で対比する。
補正データは、メモリ７３に記録保存されており、接続される設定スイッチ７６において、あおり投写が選択されていると、演算処理部７２は、メモリ７３から補正データを呼び出して、電流値の対比を行う。
【００２６】
水平軸回り駆動制御部７４および垂直軸回り駆動制御部７５は、演算処理部７２による判定結果に基づいて、水平軸回り駆動機構６０および垂直軸回り駆動機構５０に対する制御信号を生成出力する部分である。
水平軸回りの制御信号は、光量センサ４Ｕ、４Ｄの電流値の対比に基づいて生成され、垂直軸回りの制御信号に基づいて生成される。
具体的には、演算処理部７２において、光量センサ４Ｕの電流値よりも光量センサ４Ｄの電流値の方が小さいと判定されたら、スクリーン本体２の上端が光学機器に対して接近していると考えられるため、水平軸回り駆動制御部７４は、腕部３４を支柱本体３１に近づける方向に移動させる制御パルス信号を生成して、水平軸回り駆動機構６０に出力する。
【００２７】
次に、このようなスクリーン１の作用について、図５に示されるフローチャートに基づいて説明する。
（１）　　図６に示されるように、スクリーン本体２の画像形成面２１上にプロジェクタ１００の投写画像を形成した状態で、スクリーン１の駆動機構５０、６０および制御部７０の電源を入れると、演算処理部７２は、設定スイッチ７６の状態を確認して、その設定に応じた補正値をメモリ７３から取得する（処理Ｓ１）。
【００２８】
（２）　　電流検出部７１は、光量センサ４Ｕを構成するフォトダイオード４１を含む閉回路中を流れる電流を検出し、デジタル信号に変換して演算処理部７２に出力する（処理Ｓ２）。続けて、電流検出部７１は、光量センサ４Ｄを構成するフォトダイオード４１を含む閉回路中を流れる電流を検出し、デジタル信号に変換して演算処理部７２に出力する（処理Ｓ３）。
【００２９】
（３）　　演算処理部７２は、受け付けられた光量センサ４Ｕおよび光量センサ４Ｄの出力電流値の補正を行った後（処理Ｓ４）、両出力電流値の対比判定を行う（処理Ｓ５）。出力電流値の補正は、プロジェクタ１００の上部投写領域における設計照度と下部投写領域における設計照度とに基づいて、各出力電流値に重み付けをすることにより行われる。
【００３０】
（４）　　補正後の光量センサ４Ｕの出力電流値および光量センサ４Ｄの出力電流値の偏差がゼロとならない場合、演算処理部７２は、その偏差量を水平軸回り駆動制御部７４に出力する。
（５）　　水平軸回り駆動制御部７４は、得られた偏差量に基づいて、回動方向およびステップ数からなる制御パルス信号を生成して、水平軸回り駆動機構６０に出力する（処理Ｓ６）。水平軸回り駆動機構６０は、この制御パルス信号に基づいて、腕部３４を支柱本体３１に対して進退させる（処理Ｓ７）。演算処理部７２および水平軸回り駆動制御部７４は、出力電流値の対比および制御パルス信号の生成を出力電流値の偏差が０になるまで繰り返し、スクリーン本体２の上下方向の傾斜調整を行う。
【００３１】
（６）　　スクリーン本体２の上下方向の姿勢調整が終了したら、電流検出部７１は、左側の光量センサ４Ｌの出力電流値を検出し（処理Ｓ８）、右側の光量センサ４Ｒの出力電流値を検出し（処理Ｓ９）、それぞれデジタル信号に変換して演算処理部７２に出力する。
（７）　　演算処理部７２は、それぞれの出力電流値の対比判定を行う（処理Ｓ１０）。この際、本例では、演算処理部７２は、上下方向の調整のように補正処理を行わずに、両出力電流値を直接対比して、偏差を算出する。プロジェクタ１００等の光学機器で左右方向に設計上の照度に偏差が生じることはあまり考えられないからである。
【００３２】
（８）　　対比判定の結果、出力電流値に偏差が生じていると判定された場合、垂直軸回り駆動制御部７５は、この偏差に応じた制御パルス信号を生成し（処理Ｓ１１）、垂直軸回り駆動機構５０に出力する。垂直軸回り駆動機構５０は、この制御パルス信号に基づいて、回動部３３を回動させ（処理Ｓ１２）、光量センサ４Ｌ、４Ｒの出力電流値の偏差が０となったら処理を終了して、その状態を維持する。
【００３３】
以上のような本実施形態によれば、次のような効果がある。
スクリーン１が光量センサ４Ｕ、４Ｄ、４Ｌ、４Ｒ、水平軸回り駆動制御部７４、垂直軸回り駆動制御部７５、垂直軸回り駆動機構５０、および水平軸回り駆動機構６０を備えていることにより、プロジェクタ１００からの投写画像の光量を検出して画像形成面２１の姿勢を制御できるため、スクリーン１の画像形成面２１をプロジェクタ１００に正対させることができ、投写画像の台形歪み等を自動的に補正することができる。従って、プロジェクタ１００に台形歪みを補正するソフトウエア等を別途インストールする必要がなく、光学機器の価格が高騰することもない。
【００３４】
また、姿勢制御手段が垂直軸回り駆動機構５０および水平軸回り駆動機構６０とを含んで構成されていることにより、２つの回動機構のみであらゆる方向にスクリーン本体２の画像形成面２１の姿勢を制御でき、スクリーン１の構造の簡素化を図ることができる。
さらに、光量センサ４Ｕ、４Ｄが垂直方向に沿って配置され、光量センサ４Ｌ、４Ｒが水平方向に沿って配置されることにより、水平軸回り駆動機構６０による画像形成面２１の姿勢調整と、垂直軸回り駆動機構５０による画像形成面２１の姿勢調整とを独立して行うことができ、姿勢調整の簡単化を図ることができる。
【００３５】
そして、光量センサ４Ｕ、４Ｄ、４Ｌ、４Ｒがフォトダイオード４１を含んで構成されているので、光量検出の構成を安価にスクリーン１に設けることができ、スクリーン１の価格が高騰することもない。
また、演算処理部７２が、電流検出部７１で検出された出力電流値を、プロジェクタ１００の機種に応じて補正するように構成されているため、あおり投写型のプロジェクタ１００であっても、スクリーン本体２の画像形成面２１を適切な姿勢に調整することができる。
【００３６】
〔第２実施形態〕
次に、本発明の第２実施形態について説明する。尚、以下の説明では、既に説明した部材および部分と同一の部材等については、同一の符号を付してその説明を省略または簡略する。
前述の第１実施形態では、光量センサ４Ｕ、４Ｄ、４Ｌ、４Ｒが電流検出部７１に対して並列に接続されていた。
【００３７】
これに対して、第２実施形態に係る光量センサ５Ｕ、５Ｄ、５Ｌ、５Ｒは、図７に示されるように、各センサのフォトダイオード４１を抵抗素子と見立てたブリッジ回路として構成されている点が相違する。尚、光量センサ５Ｕ、５Ｄ、５Ｌ、５Ｒのスクリーン上における配置は、第１実施形態と同様であり、光量センサ５Ｕがスクリーン上側、光量センサ５Ｄがスクリーン下側、光量センサ５Ｌがスクリーン左側、光量センサ５Ｒがスクリーン右側である。
【００３８】
このブリッジ回路において、各光量センサ５Ｕ、５Ｄ、５Ｌ、５Ｒを構成するフォトダイオード４１は、ブリッジ回路に印加される印加電圧Ｖｃｃが逆方向に印加されるような向きに配置される。また、光量センサ５Ｕ、５Ｄは、電圧印加部分でするように並列に接続され、光量センサ５Ｌ、５Ｒは、この後段で並列に接続されている。
このようなブリッジ回路では、各フォトダイオード４１の抵抗値をＲｕ（光量センサ５Ｕ）、Ｒｄ（光量センサ５Ｄ）、Ｒｌ（光量センサ５Ｌ）、Ｒｒ（光量センサ５Ｒ）、光量センサ５Ｌに流れる電流をＩ１、光量センサ５Ｒに流れる電流をＩ２とすると、出力電流Ｉｏが０となり且つ電流Ｉ１が電流Ｉ２と等しくなったとき、スクリーンの投写面を光学機器に正対させることができる。尚、図７では図示を略したが、電流検出部８１は電流Ｉ１と電流Ｉ２を検出している。
また、出力電流Ｉｏが０となったとき、以下の（１）式に示される平衡状態が成立する。
【００３９】
【数１】
Ｒｕ×Ｒｒ＝Ｒｄ×Ｒｌ　　…（１）
【００４０】
このような構成のスクリーンでは、まず、制御部８０の演算処理部８２が電流検出部８１で検出される出力電流Ｉｏ、電流Ｉ１、電流Ｉ２を監視しつつ、水平軸回り駆動制御部８３および垂直軸回り駆動制御部８４により、水平軸回り駆動機構６０および垂直軸回り駆動機構５０の駆動制御を行う。
そして、演算処理部８２は、電流検出部８１で検出された出力電流Ｉｏが０となったら、上記（１）式の平衡状態が成立し、且つ電流Ｉ１が電流Ｉ２と等しくなると、それぞれのフォトダイオード４１で検出された光量が等しくなっていると判定し、水平軸回り駆動制御部８３および垂直軸回り駆動制御部８４による駆動制御を終了する。
【００４１】
このような第２実施形態では、第１実施形態で述べた効果に加えて以下のような効果がある。
演算処理部８２がブリッジ回路の平衡状態に基づいて、各光量センサ５Ｕ、５Ｄ、５Ｌ、５Ｒで検出された光量が等しいと判定しているため、ブリッジ回路からの３つの出力電流Ｉｏ、Ｉ１、Ｉ２を電流検出部８１で検出するだけで判定を行うことができ、光量検出手段の構造の簡素化を図ることができる。
【００４２】
〔実施形態の変形〕
尚、本発明は、前述の実施形態に限定されるものではなく、以下に示すような変形をも含むものである。
前記第２実施形態では、４つの光量センサ５Ｕ、５Ｄ、５Ｌ、５Ｒを構成する４つのフォトダイオード４１を抵抗素子として見立てて、ブリッジ回路を構成していたが、本発明はこれに限られない。
【００４３】
すなわち、図８に示されるように、光量センサ６Ｕ、６Ｄ、６Ｌ、６Ｒを構成するフォトダイオード４１と、既知の固定抵抗Ｒ１、Ｒ２、および可変抵抗Ｒ３とでブリッジ回路を構成し、所定の光量を受光した状態におけるフォトダイオード４１の抵抗値を可変抵抗Ｒ３の調整値から求めるように構成してもよい。
この場合、制御部９０には、電流検出部９１、演算処理部９２、水平軸回り駆動制御部９３、垂直軸回り駆動制御部９４の他に、抵抗調整部９５を設けておき、電流検出部９１で検出されるブリッジ回路の出力電流Ｉｏが０となるように、抵抗調整部９５で可変抵抗６３の値を調整して、フォトダイオード４１の抵抗値を求めればよい。
【００４４】
また、前記第１実施形態では、光量センサ４Ｕ、４Ｄ、４Ｌ、４Ｒの光電変換素子としてフォトダイオード４１を用いていたが、本発明はこれに限られず、例えば、フォトトランジスタ等の光電変換素子を用いてもよい。
さらに、前記実施形態は、前面投写型のスクリーンに本発明を採用していたが、本発明はこれに限らず、背面投写型のスクリーンにおいて本発明を採用してもよい。
その他、本発明の実際の構造および形状等は、本発明の目的を達成できる範囲で他の構造等としてもよい。
【００４５】
【発明の効果】
前述のような本発明によれば、光量検出手段および姿勢制御手段を備えていることにより、光学機器からの投写画像の光量を検出して投写面の姿勢を制御できるため、スクリーンの投写面を光学機器に正対させることができ、投写画像の台形歪み等を自動的に補正することができるという効果がある。
【図面の簡単な説明】
【図１】本発明の実施形態に係るスクリーンの構造を表す正面図、平面図、および側面図である。
【図２】前記実施形態における垂直軸回り駆動機構の構成を表す模式図である。
【図３】前記実施形態における水平軸回り駆動機構の構成を表す模式図である。
【図４】前記実施形態における姿勢制御手段の構造を表すブロック図である。
【図５】前記実施形態におけるスクリーンの作用を示すフローチャートである。
【図６】前記実施形態におけるスクリーンの姿勢調整の状態を表す模式図である。
【図７】本発明の第２実施形態に係るスクリーンの姿勢制御手段の構造を表すブロック図である。
【図８】本発明に実施形態の変形に係るスクリーンの姿勢制御手段の構造を表すブロック図である。
【符号の説明】
１…スクリーン、４Ｕ、４Ｄ、４Ｌ、４Ｒ、５Ｕ、５Ｄ、５Ｌ、５Ｒ…光量センサ（光量検出手段）、４１…フォトダイオード（光電変換素子）、７０、８０、９０…制御部（姿勢制御手段）、１００…光学機器
【図１】
2004078167.tif 000003
【図２】
2004078167.tif 000004
【図３】
2004078167.tif 000005
【図４】
2004078167.tif 000006
【図５】
2004078167.tif 000007
【図６】
2004078167.tif 000008
【図７】
2004078167.tif 000009
【図８】
2004078167.tif 000010